(57)【特許請求の範囲】
【請求項１】
(a)塵芥を投入するための投入口を有する塵芥収集車および、(b)前記塵芥収集車における作業者が有する携帯電話を備えた計量システムであって、
前記塵芥収集車(a)は、
(a2)投入口に投入された塵芥を計量して当該塵芥の重量の計量値を取得する計量手段と、
(a3)前記計量手段において取得した計量値を出力する計量値出力手段とを備え、
前記携帯電話(b)は、
(b2)前記塵芥収集車に対して塵芥の計量値を要求する計量値要求手段と、
(b3)前記塵芥収集車からの出力を受けて塵芥の計量値を取得する計量値取得手段と、
(b4)前記計量値取得手段において取得した計量値に基づく情報を、計量データとして記録部に記録する計量データ記録手段とを備えたこと
を特徴とする計量システムであって、
前記携帯電話(b)は、
(b7)塵芥収集後における現場を撮影する収集後現場撮影手段をさらに備えており、
前記携帯電話(b)の計量データ記録手段(b4)は、前記収集後現場撮影手段(b7)において得られた収集後現場画像データおよび、当該現場において投入された塵芥の計量値に基づく情報を、計量データとして記録し、
前記計量値要求手段(b2)は、前記収集後現場撮影手段(b7)において収集後の現場が撮影された場合に、前記塵芥収集車に対して塵芥の計量値を要求するものであること、
を特徴とする計量システム。
【請求項２】
請求項１の計量システムにおいて、
前記塵芥収集車(a)の計量値出力手段は、投入口に投入された塵芥における累積的な計量値を出力するものであり、
前記携帯電話(b)の計量データ記録手段は、前記計量値取得手段において取得した前記累積的な計量値と、前回に記録した計量値との差分に基づく情報を、計量データとして記録すること
を特徴とする計量システム。
【請求項３】
(a)塵芥を投入するための投入口を有する塵芥収集車および、(b)前記塵芥収集車における作業者が有する携帯電話を備えた計量システムであって、
前記塵芥収集車(a)は、
(a1)現在の計量値をゼロリセットする計量値リセット手段と、
(a2)投入口に投入された塵芥を計量して当該塵芥の重量の計量値を取得する計量手段と、
(a3)前記計量手段において取得した計量値を出力する計量値出力手段とを備え、
前記携帯電話(b)は、
(b1)前記塵芥収集車に対して計量値のゼロリセットを指示する計量値リセット指示手段と、
(b2)前記塵芥収集車に対して塵芥の計量値を要求する計量値要求手段と、
(b3)前記塵芥収集車からの出力を受けて塵芥の計量値を取得する計量値取得手段と、
(b4)前記計量値取得手段において取得した計量値を含む情報を、計量データとして記録部に記録する計量データ記録手段とを備えたこと
を特徴とする計量システムであって、
前記携帯電話(b)は、
(b7)塵芥収集後における現場を撮影する収集後現場撮影手段をさらに備えており、
前記携帯電話(b)の計量データ記録手段(b4)は、前記収集後現場撮影手段(b7)において得られた収集後現場画像データおよび、当該現場において投入された塵芥の計量値に基づく情報を、計量データとして記録し、
前記計量値要求手段(b2)は、前記収集後現場撮影手段(b7)において収集後の現場が撮影された場合に、前記塵芥収集車に対して塵芥の計量値を要求するものであること、
を特徴とする計量システム。
【請求項４】
請求項３の計量システムにおいて、
前記携帯電話は、さらに、(b6)塵芥収集前における現場を撮影する収集前現場撮影手段を備え、
前記計量データ記録手段(b4)は、さらに、前記収集前現場撮影手段(b6)において得られた収集前現場画像データを計量データとして記録し、
前記計量値リセット指示手段(b1)は、前記収集前現場撮影手段(b6)において収集前の現場が撮影された場合に、前記塵芥収集車に対して計量値のゼロリセットを指示するものであることを特徴とする計量システム。
【請求項５】
請求項１〜４のいずれかの計量システムにおいて、
前記計量システムは、さらに、(c)前記携帯電話と通信可能に設けられた計量管理サーバを備えており、
前記携帯電話(b)は、
(b5)前記記録部に記録された計量データを計量管理サーバに送信する計量データ送信手段をさらに備え、
前記計量管理サーバ(c)は、
(c1)前記携帯電話から計量データを受信する計量データ受信手段と、
(c2)前記計量データ受信手段において受信した計量データを記録部に記録する計量データ記録手段とを備えたこと
を特徴とする計量システム。
【請求項６】
請求項１〜５のいずれかの計量システムにおいて、
前記計量システムは、さらに、(d)前記携帯電話と通信可能に設けられたプリンタ装置を備えており、
前記携帯電話(b)は、
(b11)前記記録部に記録された計量データをプリンタ装置に印刷出力する計量データ印刷出力手段をさらに備え、
前記プリンタ装置(d)は、
(d1)前記携帯電話から取得した計量データを印刷する計量データ印刷手段とを備えたこと
を特徴とする計量システム。
【請求項７】
請求項１〜６のいずれかの計量システムにおいて、
前記塵芥収集車(a)は、
(a4)計量値リセット手段おける計量値のゼロリセット完了を受けた場合、または、計量値出力手段における計量値の出力を完了した場合に、その旨を携帯電話(b)に通知する完了通知手段をさらに備え、
前記携帯電話(b)は、
(b8)前記塵芥収集車からの通知を受けると、その旨を出力する完了出力手段とをさらに備えたこと
を特徴とする計量システム。
【請求項８】
請求項７の計量システムにおいて、
前記携帯電話(b)の完了出力手段は、
前記塵芥収集車からの通知を音声によって出力すること
を特徴とする計量システム。
【請求項９】
請求項１〜８のいずれかの計量システムにおいて、
前記携帯電話(b)は、
(b9)当該携帯電話の現在の位置を示す情報を取得する位置情報取得手段と、
(b10)前記位置情報取得手段において取得した位置情報に基づいて、塵芥収集現場にかかる顧客の情報を取得する顧客情報取得手段とをさらに備え、
前記計量データ記録手段(b4)は、前記顧客情報取得手段において取得した顧客情報に対応付けて、前記計量データを記録すること
を特徴とする計量システム。
【請求項１０】
請求項９の計量システムにおいて、
前記計量管理サーバ(c)は、
(c3)前記計量データの顧客情報に基づいて当該顧客の電子メールアドレスを取得する顧客メールアドレス取得手段と、
(c4)前記顧客メールアドレス取得手段において取得したメールアドレスに対して、前記計量データを含む情報を送信する計量データメール送信手段とをさらに備えたこと、
を特徴とする計量システム。
【請求項１１】
塵芥を収集するための投入口を有する塵芥収集車とともに計量システムを構成するための携帯電話であって、
(b7)塵芥収集後における現場を撮影する収集後現場撮影手段と、
(b2)前記塵芥収集車に対して塵芥の計量値を要求する計量値要求手段と、
(b3)前記塵芥収集車からの出力を受けて塵芥の計量値を取得する計量値取得手段と、
(b4)前記収集後現場撮影手段において得られた収集後現場画像データおよび、当該現場において投入された塵芥の計量値に基づく情報を、計量データとして記録する計量データ記録手段とを備えたこと
を特徴とする携帯電話であって、
前記携帯電話(b)の計量データ記録手段(b4)は、前記収集後現場撮影手段(b7)において得られた収集後現場画像データおよび、当該現場において投入された塵芥の計量値に基づく情報を、計量データとして記録し、
前記計量値要求手段(b2)は、前記収集後現場撮影手段(b7)において収集後の現場が撮影された場合に、前記塵芥収集車に対して塵芥の計量値を要求するものであること、
を特徴とする携帯電話。
【請求項１２】
塵芥を収集するための投入口を有する塵芥収集車とともに計量システムを構成するための携帯電話であって、
(b7)塵芥収集後における現場を撮影する収集後現場撮影手段と、
(b1)前記塵芥収集車に対して計量値のゼロリセットを指示する計量値リセット指示手段と、
(b2)前記塵芥収集車に対して塵芥の計量値を要求する計量値要求手段と、
(b3)前記塵芥収集車からの出力を受けて塵芥の計量値を取得する計量値取得手段と、
(b4)前記収集後現場撮影手段において得られた収集後現場画像データおよび、当該現場において投入された塵芥の計量値を、計量データとして記録する計量データ記録手段とを備えたこと
を特徴とする携帯電話であって、
前記携帯電話(b)の計量データ記録手段(b4)は、前記収集後現場撮影手段(b7)において得られた収集後現場画像データおよび、当該現場において投入された塵芥の計量値に基づく情報を、計量データとして記録し、
前記計量値要求手段(b2)は、前記収集後現場撮影手段(b7)において収集後の現場が撮影された場合に、前記塵芥収集車に対して塵芥の計量値を要求するものであること、
を特徴とする携帯電話。
【請求項１３】
請求項１２の携帯電話において、
(b6)塵芥収集前における現場を撮影する収集前現場撮影手段をさらに備え、
前記計量データ記録手段(b4)は、さらに、前記収集前現場撮影手段(b6)において得られた収集前現場画像データを計量データとして記録し、
前記計量値リセット指示手段(b1)は、前記収集前現場撮影手段(b6)において収集前の現場が撮影された場合に、前記塵芥収集車に対して計量値のゼロリセットを指示するものであることを特徴とする携帯電話。
【請求項１４】
塵芥を収集するための投入口を有する塵芥収集車とともに計量システムを構成するための携帯電話をコンピュータを用いて実現するためのプログラムであって、コンピュータを、
(b7)塵芥収集後における現場を撮影する収集後現場撮影手段と、
(b2)前記塵芥収集車に対して塵芥の計量値を要求する計量値要求手段と、
(b3)前記塵芥収集車からの出力を受けて塵芥の計量値を取得する計量値取得手段と、
(b4)前記収集後現場撮影手段において得られた収集後現場画像データおよび、当該現場において投入された塵芥の計量値に基づく情報を、計量データとして記録する計量データ記録手段として機能させるためのプログラムであって、
前記計量値要求手段(b2)は、前記収集後現場撮影手段(b7)において収集後の現場が撮影された場合に、前記塵芥収集車に対して塵芥の計量値を要求するものであること、
を特徴とするプログラム。
【請求項１５】
塵芥を収集するための投入口を有する塵芥収集車とともに計量システムを構成するための携帯電話をコンピュータを用いて実現するためのプログラムであって、コンピュータを、
(b6)塵芥収集前における現場を撮影する収集前現場撮影手段と、
(b7)塵芥収集後における現場を撮影する収集後現場撮影手段と、
(b1)前記塵芥収集車に対して計量値のゼロリセットを指示する計量値リセット指示手段と、
(b2)前記塵芥収集車に対して塵芥の計量値を要求する計量値要求手段と、
(b3)前記塵芥収集車からの出力を受けて塵芥の計量値を取得する計量値取得手段と、
(b4)前記収集前現場撮影手段において得られた収集前現場画像データ、前記収集後現場撮影手段において得られた収集後現場画像データおよび、当該現場において投入された塵芥の計量値を、計量データとして記録する計量データ記録手段として機能させるためのプログラムであって、
前記計量値要求手段(b2)は、前記収集後現場撮影手段(b7)において収集後の現場が撮影された場合に、前記塵芥収集車に対して塵芥の計量値を要求するものであり、
前記計量値リセット指示手段(b1)は、前記収集前現場撮影手段(b6)において収集前の現場が撮影された場合に、前記塵芥収集車に対して計量値のゼロリセットを指示するものであることを特徴とするプログラム。
【請求項１６】
(a)塵芥を投入するための投入口を有する塵芥収集車および、(b)前記塵芥収集車における作業者が有する携帯電話を用いた計量方法であって、
前記塵芥収集車(a)は、
(a2)投入口に投入された塵芥を計量して当該塵芥の重量の計量値を取得する計量ステップと
(a3)前記計量ステップにおいて取得した計量値を出力する計量値出力ステップとを実行し、
携帯電話(b)は、
(b7)塵芥収集後における現場を撮影する収集後現場撮影ステップと、
(b2)前記塵芥収集車に対して塵芥の計量値を要求する計量値要求ステップと、
(b3)前記塵芥収集車からの出力を受けて塵芥の計量値を取得する計量値取得ステップと、
(b4)前記収集後現場撮影ステップにおいて得られた収集後現場画像データおよび、当該現場において投入された塵芥の計量値に基づく情報を、計量データとして記録する計量データ記録ステップとを実行し、
前記計量値要求ステップ(b2)は、前記収集後現場撮影ステップ(b7)において収集後の現場が撮影された場合に、前記塵芥収集車に対して塵芥の計量値を要求するものであること、
を特徴とする計量方法。
【請求項１７】
(a)塵芥を投入するための投入口を有する塵芥収集車および、(b)前記塵芥収集車における作業者が有する携帯電話を用いた計量方法であって、
前記塵芥収集車(a)は、
(a1)現在の計量値をゼロリセットする計量値リセットステップと、
(a2)投入口に投入された塵芥を計量して当該塵芥の重量の計量値を取得する計量ステップと
(a3)前記計量ステップにおいて取得した計量値を出力する計量値出力ステップとを実行し、
携帯電話(b)は、
(b6)塵芥収集前における現場を撮影する収集前現場撮影ステップと、
(b7)塵芥収集後における現場を撮影する収集後現場撮影ステップと、
(b1)前記塵芥収集車に対して計量値のゼロリセットを指示する計量値リセット指示ステップと、
(b2)前記塵芥収集車に対して塵芥の計量値を要求する計量値要求ステップと、
(b3)前記塵芥収集車からの出力を受けて塵芥の計量値を取得する計量値取得ステップと、
(b4)前記収集前現場撮影ステップにおいて得られた収集前現場画像データ、前記収集後現場撮影ステップにおいて得られた収集後現場画像データおよび、当該現場において投入された塵芥の計量値を、計量データとして記録する計量データ記録ステップとを実行し、
前記計量値要求ステップ(b2)は、前記収集後現場撮影ステップ(b7)において収集後の現場が撮影された場合に、前記塵芥収集車に対して塵芥の計量値を要求するものであり、
前記計量値リセット指示ステップ(b1)は、前記収集前現場撮影ステップ(b6)において収集前の現場が撮影された場合に、前記塵芥収集車に対して計量値のゼロリセットを指示するものであることを特徴とする計量方法。
【発明の詳細な説明】
【技術分野】
【０００１】
この発明は、計量装置付きの塵芥収集車および、携帯電話を用いた計量システムに関する。
【背景技術】
【０００２】
投入された塵芥等の重量を計量できる計量装置（ロードセル）付きの塵芥収集車が知られている。このような塵芥収集車を用いると、例えば、作業者は、塵芥収集車に設置された操作機器を操作することによって、投入した塵芥を計量することができ、計量した塵芥の重量値に基づいて、収集内容の確認や収集代金の請求を正確に行うことができる。
【０００３】
また、収集車に計量装置に加えてＧＰＳ（Global Positioning System）装置を設置しておき、収集場所のＧＰＳ情報と塵芥の重量値を集中管理する方法が知られている。例えば、塵芥収集車に通信端末を設置しておき、各地点における計量値およびＧＰＳ情報を通信端末を用いて基地局に送信し、基地局側で各地点毎の計量値および収集場所を集中管理することが可能である（例えば、特許文献１参照。）。
【０００４】
【特許文献１】特開２００６−１２７０３７号
【発明の開示】
【発明が解決しようとする課題】
【０００５】
しかしながら、塵芥収集車に、操作機器、通信端末およびＧＰＳ装置等を専用機として搭載すると装置コストがかかるという問題がある。
【０００６】
一方、塵芥収集車を利用する顧客においては、塵芥の重量値のみならず、現場写真等によって塵芥の収集前後における状況を的確に把握したいという要望もある。この場合、塵芥の収集と同時に現場写真を撮影してそのデータを基地局に送信することも可能である。
【０００７】
しかしながら、上記のような機能を全て満たそうとすると、塵芥収集車の作業者においては、ロードセルの風袋引き操作、塵芥の投入作業およびロードセルの計量操作を順に行うことに加えて、これらの作業の前後に現場写真の撮影作業を行わなければならず、作業操作が煩雑となるという問題が生じる。
【０００８】
この発明は、上記のような問題点を解決するため、システム構成を簡素化して装置コストを低減させるとともに、作業操作を容易化して作業効率を向上させることができる計量システムの提供を目的とする。
【課題を解決するための手段】
【０００９】
(1)この発明の計量システムは、
(a)塵芥を投入するための投入口を有する塵芥収集車および、(b)前記塵芥収集車における作業者が有する携帯電話を備えた計量システムであって、
前記塵芥収集車(a)は、
(a2)投入口に投入された塵芥を計量して当該塵芥の重量の計量値を取得する計量手段と
(a3)前記計量手段において取得した計量値を出力する計量値出力手段とを備え、
前記携帯電話(b)は、
(b2)前記塵芥収集車に対して塵芥の計量値を要求する計量値要求手段と、
(b3)前記塵芥収集車からの出力を受けて塵芥の計量値を取得する計量値取得手段と、
(b4)前記計量値取得手段において取得した計量値に基づく情報を、計量データとして記録部に記録する計量データ記録手段とを備えたこと
を特徴とする。したがって、塵芥収集車の作業者は、ロードセルの計量操作を携帯電話を用いて行うことができる。このため、システム構成を簡素化して装置コストを低減させるとともに、作業操作を容易化して作業効率を向上させることができる。
【００１０】
(2)この発明の計量システムにおいては、
前記塵芥収集車(a)の計量値出力手段は、投入口に投入された塵芥における累積的な計量値を出力するものであり、
前記携帯電話(b)の計量データ記録手段は、前記計量値取得手段において取得した前記累積的な計量値と、前回に記録した計量値との差分に基づく情報を、計量データとして記録すること
を特徴とする。したがって、ロードセルのリセット機能のない塵芥車であっても、塵芥の投入毎の計量値を携帯電話を用いて算出することができる。
【００１１】
(3)この発明の計量システムは、
(a)塵芥を投入するための投入口を有する塵芥収集車および、(b)前記塵芥収集車における作業者が有する携帯電話を備えた計量システムであって、
前記塵芥収集車(a)は、
(a1)現在の計量値をゼロリセットする計量値リセット手段と、
(a2)投入口に投入された塵芥を計量して当該塵芥の重量の計量値を取得する計量手段と
(a3)前記計量手段において取得した計量値を出力する計量値出力手段とを備え、
前記携帯電話(b)は、
(b1)前記塵芥収集車に対して計量値のゼロリセットを指示する計量値リセット指示手段と、
(b2)前記塵芥収集車に対して塵芥の計量値を要求する計量値要求手段と、
(b3)前記塵芥収集車からの出力を受けて塵芥の計量値を取得する計量値取得手段と、
(b4)前記計量値取得手段において取得した計量値を含む情報を、計量データとして記録部に記録する計量データ記録手段とを備えたこと
を特徴とする。したがって、塵芥収集車の作業者は、ロードセルの風袋引き操作およびロードセルの計量操作を携帯電話を用いて行うことができる。このため、システム構成を簡素化して装置コストを低減させるとともに、作業操作を容易化して作業効率を向上させることができる。
【００１２】
(4)この発明の計量システムにおいては、
計量システムは、さらに、(c)携帯電話と通信可能に設けられた計量管理サーバを備えており、
携帯電話(b)は、
(b5)記録部に記録された計量データを計量管理サーバに送信する計量データ送信手段をさらに備え、
計量管理サーバ(c)は、
(c1)携帯電話から計量データを受信する計量データ受信手段と、
(c2)計量データ受信手段において受信した計量データを記録部に記録する計量データ記録手段とを備えたこと
を特徴とする。したがって、携帯電話に記録された計量データを計量管理サーバにおいて集中管理することができる。特に、複数台の携帯電話および塵芥収集車を用いて収集業務を行う場合には、各現場で発生している計量データを迅速に取得することができる。
【００１３】
(5)この発明の計量システムにおいては、
さらに、(d)携帯電話と通信可能に設けられたプリンタ装置を備えており、
携帯電話(b)は、
(b11)記録部に記録された計量データをプリンタ装置に印刷出力する計量データ印刷出力手段をさらに備え、
プリンタ装置(d)は、
(d1)携帯電話から取得した計量データを印刷する計量データ印刷手段とを備えたこと
を特徴とする。したがって、現場において携帯電話を操作して容易に計量データを印刷することができる。
【００１４】
(6)この発明の計量システムにおいては、
携帯電話(b)は、
(b6)塵芥の収集前における現場を撮影する収集前現場撮影手段と、
(b7)塵芥の収集後における現場を撮影する収集後現場撮影手段とをさらに備えており、
前記携帯電話(b)の計量データ記録手段(b4)は、前記収集前現場撮影手段(b6)において得られた収集前現場画像データ、前記収集後現場撮影手段(b7)において得られた収集後現場画像データおよび、当該現場において投入された塵芥の計量値に基づく情報を、計量データとして記録すること
を特徴とする。したがって、塵芥の収集状況を適切に知ることができ、計量データの信頼性を高めることができる。
【００１５】
(7)(13)(15)(17)この発明の計量システムにおいては、
計量値要求手段(b4)は、収集後現場撮影手段(b7)において収集後の現場が撮影された場合に、塵芥収集車に対して塵芥の計量値を要求するものであること、
を特徴とする。したがって、作業者が行う計量操作を簡素化することができる。これにより、作業効率を向上させることができる。
【００１６】
(8)(14)(16)(18)この発明の計量システムにおいては、
計量値リセット指示手段(b1)は、収集前現場撮影手段(b6)において収集前の現場が撮影された場合に、塵芥収集車に対して計量値のゼロリセットを指示するものであり、
計量値要求手段(b4)は、収集後現場撮影手段(b7)において収集後の現場が撮影された場合に、塵芥収集車に対して塵芥の計量値を要求するものであること、
を特徴とする。したがって、作業者が行う計量操作を簡素化することができる。これにより、作業効率を向上させることができる。
【００１７】
(9)この発明の計量システムにおいては、
塵芥収集車(a)は、
(a4)計量値リセット手段おける計量値のゼロリセット完了を受けた場合、または、計量値出力手段における計量値の出力を完了した場合に、その旨を携帯電話(b)に通知する完了通知手段をさらに備え、
携帯電話(b)は、
(b8)塵芥収集車からの通知を受けると、その旨を出力する完了出力手段とをさらに備えたこと
を特徴とする。したがって、作業者においては、塵芥収集車における動作完了を容易に認識することができる。
【００１８】
(10)この発明の計量システムにおいては、
携帯電話(b)の完了出力手段は、
塵芥収集車からの通知を音声によって出力すること
を特徴とする。したがって、作業者においては、塵芥収集車における動作完了を容易に認識することができる。これにより、作業効率を向上させることができる。
【００１９】
(11)この発明の計量システムにおいては、
携帯電話(b)は、
(b9)当該携帯電話の現在の位置を示す情報を取得する位置情報取得手段と、
(b10)前記位置情報取得手段において取得した位置情報に基づいて、塵芥の収集現場にかかる顧客の情報を取得する顧客情報取得手段とをさらに備え、
計量データ記録手段(b4)は、前記顧客情報取得手段において取得した顧客情報に対応付けて、塵芥の計量値を記録すること
を特徴とする。したがって、塵芥の収集現場に対応する顧客を容易に特定することができる。これにより、作業者のデータ入力操作を削減することができ、作業効率が向上する。
【００２０】
(12)この発明の計量システムにおいては、
計量管理サーバ(c)は、
(c3)計量データの顧客情報に基づいて当該顧客の電子メールアドレスを取得する顧客メールアドレス取得手段と、
(c4)前記顧客メールアドレス取得手段において取得したメールアドレスに対して、前記計量データを含む情報を送信する計量データメール送信手段とをさらに備えたこと、
を特徴とする。したがって、メール送信により、各顧客に対して計量データにかかる情報を即座に通知することができる。
【００２１】
［請求項の用語］
（Ａ）塵芥収集車ａの計量値リセット手段ａ１は、実施形態においては、図５のステップＳ５２１の機能がこれに該当する。計量手段ａ２は、実施形態においては、図３のロードセル３０１の機能がこれに該当する。計量値出力手段ａ３は、実施形態においては、図５のステップＳ５２７の機能がこれに該当する。完了通知手段ａ４は、実施形態においては、図５のステップＳ５２９の機能がこれに該当する。
【００２２】
（Ｂ）携帯電話ｂの計量値リセット指示手段ｂ１は、実施形態においては、図５のステップＳ５０５の機能がこれに該当する。計量値要求手段ｂ２は、実施形態においては、図５のステップＳ５１１の機能がこれに該当する。計量値取得手段ｂ３は、実施形態においては、図５のステップＳ５１３の機能がこれに該当する。計量データ記録手段ｂ４は、実施形態においては、図６のステップＳ６０５の機能がこれに該当する。計量データ送信手段ｂ５は、実施形態においては、図６のステップＳ６１１の機能がこれに該当する。完了出力手段ｂ８は、実施形態においては、図５のステップＳ５０７の機能がこれに該当する。
【００２３】
計量データ印刷出力手段は、実施形態においては、図６のステップＳ６０９の機能がこれに該当する。収集前現場撮影手段ｂ６は、実施形態においては、図５ａのステップＳ５３３〜Ｓ５３９の機能がこれに該当する。収集後現場撮影手段ｂ７は、実施形態においては、図５ｂのステップＳ５５３〜Ｓ５５９の機能がこれに該当する。位置情報取得手段ｂ９は、実施形態においては、図６のステップＳ６０１の機能がこれに該当する。顧客情報取得手段ｂ１０は、実施形態においては、図６のステップＳ６０３の機能がこれに該当する。
【００２４】
（Ｃ）計量管理サーバｃの計量データ受信手段ｃ１は、実施形態においては、図６のステップＳ６４１の機能がこれに該当する。計量データ記録手段ｃ２は、実施形態においては、図６のステップＳ６４３の機能がこれに該当する。顧客メールアドレス取得手段ｃ３は、実施形態においては、図６のステップＳ６４５の機能がこれに該当する。計量データメール送信手段ｃ４は、実施形態においては、図６のステップＳ６４７の機能がこれに該当する。
【００２５】
（Ｄ）プリンタ装置ｄの計量データ印刷手段ｄ１は、実施形態においては、図６のステップＳ６２１およびＳ６２３の機能がこれに該当する。
【００２６】
（Ｅ）「プログラム」とは、ＣＰＵにより直接実行可能なプログラムだけでなく、ソース形式のプログラム、圧縮処理がされたプログラム、暗号化されたプログラム等を含む概念である。
【発明を実施するための最良の形態】
【００２７】
１．第１の実施形態
１−１．概要
図１に、この発明の一実施形態による計量システム１の機能ブロック図を示す。本実施形態においては、塵芥収集車ａは、塵芥の収集作業に用いる車両であり、ロードセル（計量機能）および近距離無線通信機能を備えている。また、携帯電話ｂは、塵芥の収集作業を行う作業者が所持するカメラ機能、近距離無線通信機能およびプログラム実行機能を備えている。塵芥収集車ａおよび携帯電話ｂは、お互い近距離無線通信（例えば、Bluetooth（商標））によりそれぞれ通信可能である。
【００２８】
塵芥収集者が収集現場に到着すると、作業者は、ロードセルをリセットするための操作を、携帯電話ｂを用いて行う。これを受けて携帯電話ｂは、ロードセルをゼロリセットする指令を、塵芥収集車に近距離無線通信により送信する。送信を受けて塵芥収集車ａは、ロードセルをゼロリセットする。
【００２９】
現場における塵芥を塵芥収集車の投入口に全て投入し終えると、作業者は、投入した塵芥の計量を開始するための操作を、携帯電話ｂを用いて行う。これを受けて携帯電話ｂは、投入した塵芥の重量を計量して得られる計量値を要求する指令を、塵芥収集車に近距離無線通信により送信する。これを受けて塵芥収集車ａは、ロードセルを作動して塵芥の計量を行い、得られた計量値を携帯電話ｂに向けて出力する。
【００３０】
出力を受けて携帯電話ｂは、塵芥の収集前後の画像データおよび計量値を取得し、これを計量データとしてメモリに記録する。また、携帯電話ｂは、記録した計量データをネットワークを介して接続された遠隔地の計量管理サーバｃに送信する。さらに、携帯電話ｂは、現場において生成した計量データをプリンタに出力する。
【００３１】
以上の動作を各収集現場において実行することにより、作業者は、携帯電話ｂの操作のみで計量操作を簡単に行うことができる。つまり、作業者は帯同する頻度の高い携帯電話ｂの操作のみで計量操作を行うことができ、塵芥車に設けられたスイッチまで移動して操作する必要がなく、計量操作を簡単に行うことができる。
【００３２】
また、既存の携帯電話を用いて計量システムを構成するため、専用端末を用いる場合に比べて全体の装置コストを大幅に低減させることができる。
【００３３】
１−２．機能ブロック図
１−２−１．携帯電話ｂ
携帯電話ｂの計量値リセット指示手段ｂ１は、塵芥収集車ａに対して、ロードセルにおける計量値のゼロリセット（風袋引き）指示を行うためのものである。計量値要求手段ｂ２は、塵芥収集車ａに対して、塵芥の重量の計量値を要求するためのものである。計量値取得手段ｂ３は、塵芥収集車ａからの出力を受けて、塵芥の重量の計量値を取得するためのものである。計量データ記録手段ｂ４は、当該現場において投入された塵芥の重量の計量値を、計量データとして記録部ｂ０に記録するためのものである。計量データ送信手段ｂ５は、記録部ｂ０に記録された計量データを計量管理サーバｃに送信するためのものである。
【００３４】
完了出力手段ｂ８は、塵芥収集車ａからの通知を受け、その旨を出力するためのものである。位置情報取得手段ｂ９は、携帯電話の現在位置を示す情報を取得するためのものである。顧客情報取得手段ｂ１０は、位置情報取得手段ｂ９において取得した位置情報に基づいて、塵芥の収集現場に対応する顧客の情報を取得するためのものである。計量データ印刷出力手段ｂ１１は、記録部ｂ０に記録された計量データをプリンタ装置ｄに印刷出力するためのものである。
【００３５】
１−２−２．塵芥収集車ａ
塵芥収集車ａの計量値リセット手段ａ１は、現在の計量値をゼロリセットするためのものである。計量手段ａ２は、投入口に投入された塵芥を計量して当該塵芥の重量の計量値を取得するためのものである。計量値出力手段ａ３は、計量手段ａ２において取得した計量値を出力するためのものである。完了通知手段ａ４は、計量値リセット手段ａ１における計量値のゼロリセット完了または、計量値出力手段ａ３における計量値の出力完了を受けて、その旨を携帯電話ｂに通知するためのものである。
【００３６】
１−２−３．計量管理サーバｃ
計量データ受信手段ｃ１は、携帯電話から計量データを受信するためのものである。計量データ記録手段ｃ２は、計量データ受信手段ｃ１において携帯電話ｂから受信した計量データを記録部ｂ０に記録するためのものである。顧客メールアドレス取得手段ｃ３は、計量データの顧客情報に基づいて当該顧客にかかる電子メールアドレスを取得するためのものである。計量データメール送信手段ｃ４は、顧客メールアドレス取得手段ｃ３において取得したメールアドレスに対して、計量データを含む情報を送信するとためのものである。
【００３７】
１−２−４．プリンタｄ
計量データ印刷手段ｄ１は、携帯電話から取得した計量データを印刷するためのものである。
【００３８】
１−３．ハードウエア構成
１−３−１．携帯電話ｂ
図１に示す携帯電話ｂをＣＰＵを用いて実現したハードウェア構成の一例を図２に示す。この携帯電話ｂは、ディスプレイ２０１、ＣＰＵ２０３、テンキー２０７、ＧＰＳ受信機２０８、メモリ２０５、カメラ２１１、近距離無線通信回路２１３および通信回路２１５を備えている。
【００３９】
メモリ２０５には、計量プログラム２０５１、計量データ２０５３および顧客マスタ２０５５が記録される。作業者によるテンキー２０７の操作を受けて、計量プログラム２０５１を実行するＣＰＵ２０３は、近距離無線通信回路２１３を介して、塵芥収集車ａに対してロードセルのゼロリセット命令を送る。また、作業者によるテンキー２０７の操作を受けて、ＣＰＵ２０３は、近距離無線通信回路２１３を介して、塵芥収集車ａに対して計量値を要求し、取得した計量データをメモリ２０５に記録する。さらに、ＣＰＵ２０３は、メモリ２０５に記録した計量データを、通信回路２１５を介してネットワーク０に接続された計量管理サーバｃに送信する。加えて、ＣＰＵ２０３は、計量データから印刷データを生成してプリンタｄに印刷出力する。
【００４０】
よって、図１において携帯電話ｂを構成する、計量値リセット指示手段ｂ１、計量値要求手段ｂ２、計量値取得手段ｂ３、計量データ記録手段ｂ４、計量データ送信手段ｂ５および計量データ印刷出力手段ｂ１１は、計量プログラム２０５１をＣＰＵ２０３上で実行したときの各機能によって実現される。
【００４１】
計量プログラム２０５１を実行するＣＰＵ２０３は、塵芥収集車ａから、ロードセルにおけるゼロリセット完了、または、計量値の出力完了の通知を受けて、スピーカ２０９にこれらの完了を作業者に通知するための音声出力を行う。よって、完了出力手段ｂ８は、計量プログラム２０５１をＣＰＵ２０３上で実行したときの各機能およびスピーカ２０９によって実現される。
【００４２】
計量プログラム２０５１を実行するＣＰＵ２０３は、ＧＰＳ受信機２０８から携帯電話ｂの現在の位置情報を取得する。よって、位置情報取得手段ｂ９は、計量プログラム２０５１をＣＰＵ２０３上で実行したときの各機能およびＧＰＳ受信機２０８によって実現される。
【００４３】
計量プログラム２０５１を実行するＣＰＵ２０３は、所定の位置情報および顧客名が関連付けて記録されている顧客マスタ２０５５を参照し、ＧＰＳ受信機２０８から取得した位置情報に対応する顧客名を取得する。よって、顧客情報取得手段ｂ１０は、計量プログラム２０５１をＣＰＵ２０３上で実行したときの各機能および顧客マスタ２０５５によって実現される。
【００４４】
図１０に、計量データ２０５３の例を示す。計量データには、顧客名１００１、計量値１００３および日時１００５が記録される。図９に、顧客マスタ２０５５の例を示す。顧客マスタ２０５５には、顧客名９１および位置情報９３が記録される。
【００４５】
１−３−２．塵芥収集車ａ
図１に示す塵芥収集車ａの計量機能部にかかるハードウェア構成の一例を図３に示す。この塵芥収集車ａの計量機能部は、ロードセル３０１、ロードセルコントローラ３０３および近距離通信回路３１３を備えている。
【００４６】
ロードセルコントローラ３０３は、近距離通信回路３１３を介して、外部からの信号を受けてロードセルを制御する。ロードセル３０１は、塵芥収集車ａの投入口に投入された塵芥の重量を計量して、ロードセルコントローラ３０３に出力する。例えば、ロードセルコントローラ３０３は、携帯電話ｂからの計量値リセット指示の信号を受けて、ロードセル３０１をゼロリセットする。また、ロードセルコントローラ３０３は、携帯電話ｂからの計量値要求の信号を受けて、ロードセル３０１に計量指示を行い、計量値を取得し携帯電話ｂに出力する。さらに、ロードセルコントローラ３０３は、ゼロリセット完了時および計量値出力完了時には、その旨を携帯電話ｂに通知する。
【００４７】
よって、計量値リセット手段ａ１、計量値出力手段ａ３および完了通知手段ａ４は、ロードセルコントローラ３０３によって実現される。また、計量手段ａ２は、ロードセル３０１およびロードセルコントローラ３０３によって実現される。
【００４８】
１−３−３．計量管理サーバｃ
図１に示す計量管理サーバｃをＣＰＵを用いて実現したハードウェア構成の一例を図４に示す。この情報管理サーバｃは、ディスプレイ４０１、ＣＰＵ４０３、メモリ４０５、キーボード／マウス４０７、ハードディスク４０９、ＤＶＤドライブ４１１および通信回路４１５を備えている。
【００４９】
ハードディスク４０９には、計量管理プログラム４０９１、顧客管理データベース４０９３および計量データ４０９５が記録される。計量管理プログラム４０９１は、ＤＶＤドライブ４１１を介してＤＶＤ４１２に記録されたプログラムを読み出してインストールしたものである。なお、上記インストールは、通信回路４１５を用いてインターネット等のネットワーク０からダウンロードしたプログラムを使用して行うようにしてもよい。
【００５０】
計量管理プログラム４０９１を実行するＣＰＵ４０３は、携帯電話ｂからの計量データを受けて、計量データ４０９５に記録する。計量管理プログラム４０９１を実行するＣＰＵ４０３は、顧客管理データベース４０９３から顧客のメールアドレスを取得して各顧客毎に計量データをメール送信する。
【００５１】
よって、計量データ受信手段ｃ１、計量データ記録手段ｃ２、顧客メールアドレス取得手段ｃ３および計量データメール送信手段ｃ４は、計量管理プログラム４０５１をＣＰＵ２０３上で実行したときの各機能および顧客管理データベース４０９３によって実現される。
【００５２】
図１１に、顧客管理データベース４０９３の例を示す。顧客管理データベース４０９３には、顧客名１１０１、顧客メールアドレス１１０３、住所１１０５、電話番号１１０７などが記録される。なお、計量データは、図１０に示したものと同様である。
【００５３】
１−３−４．プリンタ
図１に示すプリンタｄは、近距離通信回路（例えば、Bluetooth（商標））および印字ヘッド等を備えた一般的な携帯型プリンタ（モバイルプリンタ）である。例えば、携帯電話ｂとBluetooth（商標）で接続して、印刷データを取得し、用紙に印刷を行う。よって、計量データ印刷手段ｄ１１は、このような携帯型プリンタの基本機能によって実現される。
【００５４】
１−４．処理詳細
図５〜１１を用いて、本実施形態における処理詳細を説明する。図５および図６は、本実施形態の計量システムにおける全体処理を示すフローチャートである。携帯電話ｂにおいては、作業者の操作により、携帯電話アプリとして登録された計量プログラム２０５１が、ＣＰＵ２０３上において実行されているものとする。
【００５５】
１−４−１．リセット
携帯電話ｂのディスプレイ２０１には、図７に示すメニュー画面７１が表示される（ステップＳ５０１）。塵芥の収集前の時点において、作業者は、収集場所において投入する塵芥を正確に計量するため、ロードセルの計量値をゼロリセット（いわゆる風袋引き）する操作を行う必要がある。この場合、作業者は、携帯電話ｂをテンキー２０７により操作して、メニュー画面７１に表示されたリセットボタン７０１を押下する。押下を受けて、携帯電話ｂのＣＰＵ２０３は、塵芥収集車ａに対してロードセルのゼロリセットを指示する（ステップＳ５０３、Ｓ５０５）。
【００５６】
なお、携帯電話ｂと塵芥収集車ａは、Bluetooth（商標）などの近距離無線通信によってデータの送受信が可能である。この通信は、携帯電話ａの近距離無線通信回路２１３および塵芥収集車ａの近距離無線通信回路３１３によって行われる。
【００５７】
塵芥収集車ａのロードセルコントローラ３０３は、携帯電話ａからロードセルのゼロリセット指示を受けると、ロードセル３０１から受ける計量値の出力をゼロにリセットする（ステップＳ５２１）。リセットを完了すると、ロードセルコントローラ３０３は、その旨を携帯電話ｂに近距離無線通信によって通知する（ステップＳ５２３）。
【００５８】
通知を受けて携帯電話ｂのＣＰＵ２０３は、ロードセルのリセットが完了した旨を出力する（ステップＳ５０７）。この出力は、ディスプレイ２０１に表示出力して行われるものであると同時に、スピーカ２０９からの音声出力によっても行われる。例えば、図７のメニュー画面７３の下部において、「リセットが完了しました。」７１１が表示出力されと同時に、「リセットが完了しました。」がスピーカ２０９から音声出力される。
【００５９】
これにより、作業者は、携帯電話ｂのディスプレイ２０１を視認する必要がなく、他の作業を行いながらでも容易にリセット完了を認識することができる。
【００６０】
１−４−２．計量
ロードセルのゼロリセットの完了を表示出力または音声出力によって確認した作業者は、塵芥の収集作業を開始する。例えば、塵芥収集車の塵芥投入口の中に、収集場所に存在している塵芥を順次投入する。１つの収集場所における全ての塵芥を投入すると、作業者は、投入した塵芥の計量を行うため、塵芥収集車ａから計量値を取得する操作を行う必要がある。この場合、作業者は、携帯電話ｂを操作して、メニュー画面７１に表示された計量ボタン７０３を押下する。押下を受けて、携帯電話ｂのＣＰＵ２０３は、塵芥収集車ａに対してロードセルの計量値を要求する（ステップＳ５０９、Ｓ５１１）。
【００６１】
塵芥収集車ａのロードセルコントローラ３０３は、携帯電話ａからロードセルの計量値の要求を受けると、ロードセル３０１からゼロリセット後において変動した現在の計量値を取得する（ステップＳ５２５）。計量値を取得すると、ロードセルコントローラ３０３は、その計量値を携帯電話ｂに近距離無線通信によって通知する（ステップＳ５２７）。
【００６２】
通知を受けて携帯電話ｂのＣＰＵ２０３は、ロードセルからの計量値を取得し、メモリ２０５上に一時記録する（ステップＳ５１３）。計量値の出力を完了すると、ロードセルコントローラ３０３は、その旨を携帯電話ｂに近距離無線通信によって通知する（ステップＳ５２９）。
【００６３】
１−４−３．計量データの出力・記録
通知を受けて携帯電話ｂのＣＰＵ２０３は、携帯電話ｂの現在の位置情報を示すＧＰＳ情報を取得する（ステップＳ６０１）。ＧＰＳ情報は、携帯電話ｂに内蔵されたＧＰＳ受信機２０８を介して行えばよい。例えば、ＧＰＳ情報として、緯度（北緯Ｎ）および経度（東経Ｅ）を表す「Ｎ：３４．４５．０１．０１，Ｅ：１３５．２９．０１．０１」を取得する。
【００６４】
次に、ＣＰＵ２０３は、ＧＰＳ情報に基づいて顧客マスタ２０５５を参照し、取得したＧＰＳ情報に該当する顧客情報を取得する（ステップＳ６０３）。例えば、図９に示す顧客マスタ２０５５のレコード９０を参照して、「Ｎ：３４．４５．０１．０１，Ｅ：１３５．２９．０１．０１」に対応して記録された顧客名「○×商店」を取得する。
【００６５】
さらに、ＣＰＵ２０３は、計量値（「５９Ｋｇ」）および顧客情報（「○×商店」）に基づいて構成される計量データを出力する（ステップＳ６０４）。この出力は、ディスプレイ２０１に表示出力して行われるものであると同時に、スピーカ２０９からの音声出力によっても行われる。例えば、図７のメニュー画面７５の下部において、「○×商店の計量値は、５９Ｋｇでした。」７３１が表示出力されと同時に、「○×商店の計量値は、５９Ｋｇでした。」がスピーカ２０９から音声出力される。
【００６６】
これにより、作業者は、携帯電話ｂのディスプレイ２０１を視認する必要がなく、他の作業を行いながらでも容易に計量データ送信完了と計量データを認識することができる。
【００６７】
ＣＰＵ２０３は、取得した計量値および顧客情報をタイムスタンプとともに計量データ２０５３としてメモリ２０５に記録する（ステップＳ６０５）。図１０に計量データ２０５３の例を示す。計量データには、顧客名１００１、計量値１００３、日時１００５などが記録される。例えば、上記において出力した計量データ（「○×商店の計量値は、５９Ｋｇでした。」）は、レコード１０００のように記録される。
【００６８】
１−４−４．計量データの印刷
計量値および顧客情報（計量データ）を表示出力または音声出力によって確認した作業者は、これらの情報を含む計量データを印刷することができる。なお、印刷された計量データは、塵芥収集に対する取引・証明に利用することができる。
【００６９】
この場合、作業者は、携帯電話ｂを操作して、メニュー画面７１に表示された印刷ボタン７０５を押下する。押下を受けて、携帯電話ｂのＣＰＵ２０３は、
計量データ２０５３に記録された計量データを読み出して、印刷イメージデータを生成してプリンタｄに印刷出力する（ステップＳ６０９）。
【００７０】
これを受けてプリンタｄは、印刷イメージデータを受信して用紙に印刷する（ステップＳ６２１、Ｓ６２３）。図８に、用紙に印刷される計量データの例を示す。図８においては、顧客情報「○×商店」８０１、回収日時「平成１９年９月１５日」８０３、回収量「５９Ｋｇ」８０５を含む計量データが印刷される。
【００７１】
１−４−４．計量データの送信
携帯電話ｂのＣＰＵ２０３は、プリンタへの印刷出力を終えると、計量データを計量管理サーバｃに送信する（ステップＳ６１１）。ここで、計量管理サーバｃは、各収集現場の塵芥の計量値を集中して、の各携帯電話ｂから受信するものであり、計量管理プログラム４０９１が、ＣＰＵ４０３上において実行されているものとする。例えば、計量データとして、図１０に示した計量データのレコード１０００が携帯電話ｂから計量管理サーバｃに送信される。
【００７２】
計量管理サーバｃのＣＰＵ４０３は、携帯電話ｂから計量データを受信してハードディスク４０９に記録する（ステップＳ６４１、Ｓ６４３）。なお、計量管理サーバｃの計量データ４０９５のレコードフォーマットは、図１０に示したものと同様である。
【００７３】
次に、ＣＰＵ４０３は、計量データに含まれる顧客情報に基づいて、顧客管理データベース４０９３を検索し、当該顧客の電子メールアドレスを取得する（ステップＳ６４５）。例えば、図１１に示す顧客管理データベース４０９３のレコード１１００から、顧客名「○×商店」に対応する顧客メールアドレス「ox@oxox.jp」を取得する。
【００７４】
次に、ＣＰＵ４０３は、計量データからメール本文データを生成して、取得した顧客メールアドレスに送信する（ステップＳ６４７）。例えば、図８に示した計量データが記載された印刷データと同様の内容を、メール本文データとして計量管理サーバｃに送信する。
【００７５】
１−５．まとめ
以上により、塵芥収集車ａにかかる作業者は、ロードセルの計量値のゼロリセット（風袋引き）操作のみならず、ロードセルを用いた塵芥の計量操作までをも、自己の所持する携帯電話を用いて簡単に行うことができる。このため、塵芥収集車側に搭載する機器を削減し、システム構成を簡素化して装置コストを低減させるとともに、作業操作を容易化して作業効率を向上させることができる。
【００７６】
２．第２の実施形態
第２の実施形態においては、携帯電話ｂのカメラ機能を用いて、塵芥の収集前後における現場写真を撮影するように構成する。この場合において、作業者が行う撮影操作に連動して、携帯電話ｂが塵芥収集車に対して計量指示を行う例について説明する。
【００７７】
２−１．概要
第２の実施形態における計量システムの機能ブロック図を図１ａに示す。図１ａは、基本的に第１の実施形態における図１と同様である。携帯電話ｂが、収集前現場撮影手段ｂ６および収集後現場撮影手段ｂ７をさらに備えている点が異なる。
【００７８】
塵芥収集者が収集現場に到着すると、作業者は、塵芥収集前の現場を携帯電話で撮影する操作を行う。これを受けて、携帯電話ｂは、現場の画像を撮影して画像データを取得するとともに、近距離無線通信により、ロードセルをゼロリセットする指令を塵芥収集車に送信する。送信を受けて、塵芥収集車ａはロードセルをゼロリセットする。
【００７９】
現場における塵芥を塵芥収集車の投入口に全て投入し終えると、作業者は、塵芥収集後の現場を携帯電話で撮影する操作を行う。これを受けて、携帯電話ｂは、現場の画像を撮影して画像データを取得するとともに、近距離無線通信により、投入した塵芥の重量を計量して得られる計量値を要求する指令を塵芥収集車に送信する。これを受けて、塵芥収集車ａは、ロードセルを作動して塵芥の計量を行い、得られた計量値を携帯電話ｂに向けて出力する。
【００８０】
出力を受けて、携帯電話ｂは、塵芥の収集前後の画像データおよび計量値を取得し、これを計量データとしてメモリに記録する。
【００８１】
以上の動作を各収集現場において実行することにより、作業者は、携帯電話ｂの操作のみで計量操作を簡単に行うことができる。また、既存の携帯電話を用いて計量システムをするため、専用端末を用いる場合に比べて装置コストを大幅に低減させることができる。さらに、塵芥の収集前後の現場写真を計量値に対応付けて記録できるため、計量データの信頼性を高めて顧客満足度を向上させることができる。
【００８２】
２−２．機能ブロック図
塵芥収集車ａ、計量管理サーバｃおよびプリンタｄの機能ブロック図は、第１の実施形態において示したものと同様である。
【００８３】
携帯電話ｂの収集前現場撮影手段は、塵芥収集車ａが到着した収集場所において、塵芥収集前における現場を写真撮影するためのものである。収集後現場撮影手段は、同収集場所において、塵芥収集後における現場を写真撮影するためのものである。その他の手段ｂ１〜ｂ５、ｂ８〜ｂ１１については第１の実施形態と同様である。
【００８４】
２−３．ハードウエア構成
携帯電話ｂ、塵芥収集車ａ、計量管理サーバｃおよびプリンタｄのハードウェア構成は、第１の実施形態において示したものと同様である（図２〜図４）。
【００８５】
２−４．処理詳細
図５ａ、５ｂ、７ａ、８ａ、１０ａ等を用いて、本実施形態における処理詳細を説明する。図５ａおよび図５ｂは、第１の実施形態における図５に対応する携帯電話ｂおよび塵芥収集車ａにおける処理を示すフローチャートである。
【００８６】
２−４−１．収集前撮影
携帯電話ｂのディスプレイ２０１には、図７ａに示すメニュー画面７７１が表示される（ステップＳ５３１）。塵芥の収集前の時点において、作業者は、収集場所において投入する塵芥の存在を証明するため、収集前の現場の写真撮影を行う。この場合、作業者は、携帯電話ｂを操作して、メニュー画面７７１に表示された収集前撮影ボタン７５１を押下する。押下を受けて、携帯電話ｂのＣＰＵ２０３は、撮影画面７７２をディスプレイ２０１に表示させる（ステップＳ５３３、Ｓ５３５）。
【００８７】
作業者は、携帯電話ｂのカメラ２１１を収集現場の塵芥に向けて撮影ボタン７９を操作して押下すると、ＣＰＵ２０１はカメラ２１１によって撮像された画像データを計量データ２０５３のデータとして記録する（ステップＳ５３９）。例えば、図７の撮影画面７７２において塵芥５３が撮像された画像データが記録される。
【００８８】
収集前の現場の撮影画像データの記録を終えると、これに連動して、ＣＰＵ２０１は、塵芥収集車ａに対してロードセルのゼロリセットを指示する（ステップＳ５４１、Ｓ５４３）。
【００８９】
第１の実施形態と同様に、塵芥収集車ａのロードセルコントローラ３０３は、携帯電話ａからロードセルのゼロリセット指示を受けると、ロードセル３０１から受ける計量値の出力をゼロにリセットする（ステップＳ５２１）。リセットを完了すると、ロードセルコントローラ３０３は、その旨を携帯電話ｂに近距離無線通信によって通知する（ステップＳ５２３）。
【００９０】
通知を受けて携帯電話ｂのＣＰＵ２０３は、ロードセルのリセットが完了した旨を出力する（ステップＳ５４３）。例えば、図７ａのメニュー画面７７３の下部において、「リセットが完了しました。」７１１が表示出力されと同時に、「リセットが完了しました。」がスピーカ２０９から音声出力される。
【００９１】
２−４−２．収集後撮影
ロードセルのゼロリセットの完了を表示出力または音声出力によって確認した作業者は、塵芥の収集作業を開始する。例えば、塵芥収集車の塵芥投入口の中に、収集場所に存在している塵芥を順次投入する。１つの収集場所における全ての塵芥を投入すると、作業者は、収集現場の塵芥を全て塵芥収集車に投入したことを証明するため、収集後の現場の写真撮影を行う。この場合、作業者は、携帯電話ｂを操作して、メニュー画面７７３に表示された収集後撮影ボタン７５３を押下する。押下を受けて、携帯電話ｂのＣＰＵ２０３は、撮影画面７７４をディスプレイ２０１に表示させる（ステップＳ５５１、Ｓ５５３）。
【００９２】
作業者は、携帯電話ｂのカメラ２１１を収集現場の塵芥に向けて撮影ボタン７９を操作して押下すると、ＣＰＵ２０１はカメラ２１１によって撮像された画像データを計量データ２０５３のデータとして記録する（ステップＳ５５９）。例えば、図７の撮影画面７７４において塵芥５３が全て収集された後における現場の画像データが記録される。
【００９３】
収集後の現場の撮影画像データの記録を終えると、これに連動して、ＣＰＵ２０１は、塵芥収集車ａに対してロードセルの計量値を要求する（ステップＳ５６１）。
【００９４】
塵芥収集車ａのロードセルコントローラ３０３は、携帯電話ａからロードセルの計量値の要求を受けると、ロードセル３０１からゼロリセット後において変動した現在の計量値を取得する（ステップＳ５２５）。計量値を取得すると、ロードセルコントローラ３０３は、その計量値を携帯電話ｂに近距離無線通信によって通知する（ステップＳ５２７）。
【００９５】
通知を受けて携帯電話ｂのＣＰＵ２０３は、ロードセルからの計量値を取得し、メモリ２０５上に一時記録する（ステップＳ５６３）。計量値の出力を完了すると、ロードセルコントローラ３０３は、その旨を携帯電話ｂに近距離無線通信によって通知する（ステップＳ５２９）。
【００９６】
２−４−３．計量データの出力・記録
通知を受けて携帯電話ｂのＣＰＵ２０３が行う処理は、第１の実施形態において示した図６と基本的に同様である。本実施形態においては、計量データに収集前後の現場画像データが記録され、プリンタの印刷イメージデータにも、この画像データが含まれる点が異なる。
【００９７】
図１０ａに、本実施形態における計量データ２０５３の例を示す。計量データには、顧客名１００１、計量値１００３、日時１００５に加えて、収集前画像１００７および収集後画像１００９が記録される。
【００９８】
２−４−４．計量データの印刷
図８ａに、本実施形態における計量データの印刷の例を示す。図８ａにおいては、顧客情報「○×商店」８０１、回収日時「平成１９年９月１５日」８０３、回収量「５９Ｋｇ」８０５に加えて、収集前画像８２１および収集後画像８２３を含む計量データが印刷される。
【００９９】
２−４−４．計量データの送信
計量管理サーバｃのＣＰＵ４０３は、携帯電話ｂから計量データを受信してハードディスク４０９に記録する（ステップＳ６４１、Ｓ６４３）。なお、本実施形態における計量管理サーバｃの計量データ４０９５のレコードフォーマットは、図１０ａに示したものと同様である。
【０１００】
また、図８ａに示した計量データが記載された印刷データと同様の内容を、メール本文データとして計量管理サーバｃに送信する。
【０１０１】
２−５．まとめ
以上により、塵芥の収集状況を適切に知ることができ、作業の信頼性を向上させることができる。また、現場の写真撮影という作業が追加される場合であっても、作業者に計量操作の負担をかけることなく作業を容易に行わせることができる。
【０１０２】
３．その他の実施形態
３−１．
上記実施形態においては、塵芥の投入前においてロードセルをゼロリセット（風袋引き）する操作を行っている。しかしながら、ゼロリセットを行わずに、塵芥の累積的な計量値を塵芥収集車から携帯電話に出力するように構成してもよい。この場合、携帯電話において前回の計量値との差分を算出することにより、計量データを得ることができる。
【０１０３】
例えば、「Ａ会社」において収集作業を行った後に出力された塵芥の累積的な計量値が「８１ｋｇ」であった場合、図１０の計量データに示すように、前回の「○×商店」における計量値が「５９ｋｇ」であることにより、「Ａ会社」における計量値は、「８１ｋｇ」と「５９ｋｇ」の差分を算出して「２２ｋｇ」となる。
【０１０４】
３−２．
上記実施形態においては、塵芥収集車においてロードセルがゼロリセットされた場合には、作業者は携帯電話によってリセット完了を確認している。しかしながら、塵芥収集車に設置された表示器および携帯電話の双方を用いてリセット完了を確認するようにしてもよい。
【０１０５】
３−３．
上記実施形態においては、塵芥の収集現場にかかる顧客の情報を、携帯電話ｂのＧＰＳ機能等により現在位置を取得し、予め記録された顧客情報と位置情報との関係から顧客を特定するようにしている。しかしながら、作業者が、顧客情報を選択または入力するようにしてもよい。特に、この構成は、ＧＰＳ情報により複数の顧客情報が該当してしまう場合に有効である。
【０１０６】
３−４．
上記実施形態においては、携帯電話ｂに記録した計量データを、計量管理サーバｃに送信し、計量データで集中管理するように構成している。しかしながら、携帯電話ｂに計量データを随時記録しておき、全ての塵芥収集作業の終了後において、携帯電話ｂと計量管理を行うコンピュータ装置を接続して、計量データを取り込むようにしてもよい。この場合、携帯電話ｂから計量管理サーバｃに送信する機能は不要となる。
【０１０７】
３−５．
上記実施形態においては、図７のメニュー画面７１のリセットボタン７０１を押下した場合に、ロードセルのリセット指示を行うように構成したが、当該メニュー画面の表示に連動させて、表示と同時にリセット指示を行うようにしてもよい。これにより、操作回数を減らすことができ、操作効率が向上する。
【０１０８】
３−６．
上記実施形態においては、携帯電話ｂのディスプレイ２０１に表示されたボタンをテンキー２０７で操作することにより、計量操作を行うように構成している。しかしながら、携帯電話等の特定のキー操作のみで、計量操作を行うようにしてもよい。例えば、テンキー上の「０」ボタンと「＊」ボタンを連続して押すと「リセット指示」を行い、「１」ボタンと「＊」ボタンを連続して押すと「計量値の要求」を行うようにしてもよい。また、テンキー以外に配置されたボタンにより操作を行うようにしてもよい。例えば、携帯電話の側面に位置する特殊ボタンに上記操作を割り付けてもよい。
【０１０９】
３−７．
上記実施形態においては、携帯電話ｂを用いて計量システムを構成したが、上述した各手段を構成する機能を有する他の端末装置を用いてもよい。例えば、ＰＨＳ、ＰＤＡまたは小型コンピュータ等であってもよい。
【０１１０】
３−８．
上記実施形態（図５、ステップＳ５２９）においては、携帯電話ｂのＣＰＵ２０３は、塵芥収集車ａのロードセルコントローラ３０３から計量値の出力完了の通知を受けているが、これに代えて、ステップＳ５１３において取得した計量値をメモリ２０５上に記録し終えた場合を出力完了とみなすようにしてもよい。すなわち、携帯電話の計量データ記録手段ｂ４が、記録部ｂ０への計量データ２０５３の記録完了を受けて、その旨を出力するようにしてもよい。また、塵芥収集車ａからの通知と計量データ記録手段ｂ４からの通知の両方を受けてから、その旨を出力するようにしてもよい。
【０１１１】
３−９．
上記実施形態（図６、ステップＳ６４１〜Ｓ６４７）においては、計量管理サーバｃが、携帯電話ａから計量データを受けて、各顧客に計量データをメール送信するように構成したが、これに代えて、携帯電話ａから計量データをメール送信するようにしてもよい。
【０１１２】
この場合、携帯電話ｂに、顧客メールアドレス取得手段ｃ３および計量データメール送信手段ｃ４を備えるとともに、顧客マスタ２０５５に顧客メールアドレスを記録しておき、携帯電話ｂから直接顧客へ計量データの情報を記載したメールを送信すればよい。なお、送信のタイミングは、計量の都度顧客に送信するものであってもよいし、一括で複数の顧客に送信するものであってもよい。
【０１１３】
３−１０．
上記実施形態においては、図１または図１ａに示す各機能を実現する為に、ＣＰＵを用いソフトウェアによってこれを実現している。しかし、その一部もしくは全てを、ロジック回路等のハードウェアによって実現してもよい。なお、プログラムの一部の処理をさらに、オペレーティングシステム（ＯＳ）にさせるようにしてもよい。
【図面の簡単な説明】
【０１１４】
【図１】計量システムの機能ブロック図である。
【図１ａ】計量システムの機能ブロック図である。
【図２】携帯電話のハードウエア構成を示す図である。
【図３】塵芥収集車のハードウエア構成を示す図である。
【図４】計量管理サーバのハードウエア構成を示す図である。
【図５】携帯電話と塵芥収集車における処理のフローチャートである。
【図５ａ】携帯電話と塵芥収集車における処理のフローチャートである。
【図５ｂ】携帯電話と塵芥収集車における処理のフローチャートである。
【図６】携帯電話、プリンタ、計量管理サーバにおける処理のフローチャートである。
【図７】携帯電話のメニュー画面を示す図である。
【図７ａ】携帯電話のメニュー画面を示す図である。
【図８】印刷される計量データを示す図である。
【図８ａ】印刷される計量データを示す図である。
【図９】顧客マスタを示す図である。
【図１０】計量データを示す図である。
【図１０ａ】計量データを示す図である。
【図１１】顧客管理データベースを示す図である。
【符号の説明】
【０１１５】
ａ：塵芥収集車
ｂ：携帯電話
ｃ：計量管理サーバ
【図１】
0004668968.tif 000002
【図１ａ】
0004668968.tif 000003
【図２】
0004668968.tif 000004
【図３】
0004668968.tif 000005
【図４】
0004668968.tif 000006
【図５】
0004668968.tif 000007
【図５ａ】
0004668968.tif 000008
【図５ｂ】
0004668968.tif 000009
【図６】
0004668968.tif 000010
【図７】
0004668968.tif 000011
【図７ａ】
0004668968.tif 000012
【図８】
0004668968.tif 000013
【図８ａ】
0004668968.tif 000014
【図９】
0004668968.tif 000015
【図１０】
0004668968.tif 000016
【図１０ａ】
0004668968.tif 000017
【図１１】
0004668968.tif 000018